(57)【要約】【課題】簡単な構成で、ベルトを傷つけることなく、容易に梱包されたベルトを持つことを可能とする電子写真装置のベルト梱包方法を提供する。【解決手段】ベルトの幅よりも長い幅を有する遮光シートにより被覆し、またベルトを遮光シートの幅よりも長いパイプに巻き付け、前記パイプは、少なくとも３本用いる。【選択図】図１
2005234272.tif 000002
【特許請求の範囲】
【請求項１】
電子写真装置のベルト感光体、中間転写ベルト、転写ベルト、定着ベルト等のベルトを遮光シートで被覆する梱包方法において、
前記ベルトの幅よりも長い幅を有する遮光シートにより前記ベルトを被覆したことを特徴とする電子写真装置のベルト梱包方法。
【請求項２】
電子写真装置のベルト感光体、中間転写ベルト、転写ベルト、定着ベルト等のベルトを遮光シートで被覆する梱包方法において、
前記ベルトを被膜した遮光シートの幅よりも長いパイプを用い、前記ベルトの筒状を成す両端部のそれぞれ２ヶ所に、前記パイプを前記ベルトの両端部の内面に密着するように挿入し、片端若しくは両端部の前記パイプの内側に前記パイプと同じパイプを前記遮光シートを介して密着させ、前記密着させた前記パイプを回動させて前記ベルトを巻き付ける請求項１記載の電子写真装置のベルト梱包方法。
【請求項３】
前記パイプは少なくとも３本用いて、前記ベルトを巻き付ける請求項２記載の電子写真装置のベルト梱包方法。
【発明の詳細な説明】
【技術分野】
【０００１】
本発明は、電子写真方式を用いた印刷装置に用いるベルト梱包方法に関する。
【背景技術】
【０００２】
従来の電子写真装置用感光体の梱包方法としては、電子写真用感光体をその全長よりも長い一端を有する遮光シートで被覆して、該電子写真用感光体の両端を超えて該遮光シートを延在させ、該電子写真用感光体の両端を超えて延在する該遮光シートを折り込む方法が知られている（例えば、特許文献１）。
【０００３】
また、他の方法としては、電子写真装置のベルト感光体、中間転写体等をその全長に等しい、またはわずかに長い遮光シートとともに、その全長が電子写真装置のベルト感光体、中間転写体等に等しい、またはわずかに長い３本の紙管に巻き付ける方法が知られている。
（例えば、特許文献２）
【０００４】
【特許文献１】特開平１１−７０９７５号公報
【特許文献２】米国特許第２８６８３６９号明細書
【発明の開示】
【発明が解決しようとする課題】
【０００５】
第一の従来技術では、遮光シートに被覆された感光体を遮光シート上から持つ際、感光体と遮光シートを同時に持つこととなり、それが原因で感光体に傷をつけ、感光体が使用不可能となってしまう恐れがある。
【０００６】
また、第二の従来技術も同様に、遮光シート上からベルト感光体、中間転写ベルトを同時に持つこととなり、それが原因で感光体に傷をつけ、感光体が使用不可能となってしまう恐れがある。
【０００７】
本発明の目的は、簡単な構成で、ベルトを傷つけることなく、容易に梱包されたベルトを持つことを可能とするベルト梱包方法を提供することである。
【課題を解決するための手段】
【０００８】
前記目的を達成する為、本発明では、ベルトが前記ベルトの幅よりも長い幅を有する遮光シートにより被覆されている。
【０００９】
また、前記ベルトには前記遮光シートの幅よりも長いパイプを少なくとも３本巻き付ける。
【発明の効果】
【００１０】
本発明によれば、簡単な構成で、ベルトを傷つけることなく、容易に梱包されたベルトを持つことが可能となる。
【発明を実施するための最良の形態】
【００１１】
以下、本発明の実施例を図面を用いて説明する。
【００１２】
図１、２及び３は本発明の一実施例に基づくベルト感光体を用いた電子写真装置のベルト梱包時の概略図である。
【００１３】
図１において、１はパイプ、２は遮光シートである。
図１の遮光シート２内は、図２の示す様にベルト感光体３が、遮光シート２と３本のパイプ１に巻き付けられた構造となっている。
【００１４】
ベルト感光体３の筒状を形成する両端部にパイプ１ａ、１ｃを差込み、ベルト感光体３上のどちらか一方のパイプ１に隣接する位置（本実施例では１ｃ側）に遮光シート２挟み込み、パイプ１ｂを置いて、ベルト感光体３をパイプ１ｂと１ｃとで挟み込みながら、矢印方向に巻き付けることで、パイプ１と感光体ベルト３及び遮光シート２が滑ることなく巻き付くことになり、図３に示す様にベルト感光体３は表面を遮光シート２に被覆された状態で３本のパイプ１に巻き付けられた構造となっている。
【００１５】
遮光シート２は、ベルト感光体３の幅よりも長い幅を有し、ベルト感光体３の表面を被覆している。
【００１６】
パイプ１の全長は遮光シート２の幅よりも長く、その長さの差１Ｌは、パイプ１を手で持つ際に、手が遮光シート２に接触しない長さであればよい。
【００１７】
パイプ１の素材としては、例えば、紙、樹脂、またはアルミニウム等が挙げられ、紙の場合は、低コスト、軽量、廃棄に関して優位であり、樹脂の場合は、軽量、高強度という点で優位であり、アルミニウム等の金属は高強度の点で優位である。このうち、本発明には、紙製が最も好適である。
【００１８】
梱包されたベルト感光体３を持つには、パイプ１Ｌを持つことにより、ベルト感光体３を傷つけることはない。
【００１９】
以下、図１を用いた電子写真装置の全体構成について図４を用いて説明する。
【００２０】
印写ユニット４ａは、ベルト感光体５ａ、帯電器６ａ、露光装置７ａ、現像機８ａ、転写器９ａ、清掃装置１０ａから構成されており、印写ユニット４ｂは、ベルト感光体５ｂ、帯電器６ｂ、露光装置７ｂ、現像機８ｂ、転写器９ｂ、清掃装置１０ｂから構成されている。印写ユニット４ｃは、ベルト感光体５ｃ、帯電器６ｃ、露光装置７ｃ、現像機８ｃ、転写器９ｃ、清掃装置１０ｃから構成されており、印写ユニット４ｄは、ベルト感光体
５ｄ、帯電器６ｄ、露光装置７ｄ、現像機８ｄ、転写器９ｄ、清掃装置１０ｄから構成されている。
【００２１】
印写ユニット４ａ、４ｂ、４ｃ、４ｄは、例えば、印写ユニット４ａが黄、印写ユニット４ｂがマゼンタ、印写ユニット４ｃがシアン、印写ユニット４ｄが黒とそれぞれ異なる色を用紙２３上に印刷する。
【００２２】
以下、印写ユニット４ａの印刷動作について説明する。
【００２３】
ベルト感光体５ａは、図示しないコントローラからの印刷動作開始信号に基づいて回転を始めると共に、電子写真装置の印刷速度に相当する速度で回転し、印刷動作が終了するまで回転を続ける。ベルト感光体５ａが回転を開始すると、帯電器６ａに高電圧が印加され、ベルト感光体５ａ表面に例えば正の電荷が均一に帯電される。
【００２４】
ドットイメージに変換された文字データや図形データが、露光装置７ａのオン／オフ信号として図示しないコントローラから電子写真装置に送られると、ベルト感光体５ａ表面に露光装置７ａよりレーザ光等が照射される部分と照射されない部分とが形成される。露光装置７ａからのレーザ光等の照射により、ベルト感光体５ａ上の電荷が消失した部分が現像機８ａと対向する位置に到達すると、正電荷に帯電したトナーが静電気により吸引されてベルト感光体５ａ上にトナー像が形成される。用紙２３は、ベルト感光体５ａ上に形成された印刷データが転写位置に到達するタイミングと同期させて搬送される。ベルト感光体５ａ上に形成されたトナー像は、用紙２３背面側にトナー像と逆極性の電荷を付与する転写器９ａの作用によって用紙２３上に吸引される。なお、転写位置を通過したベルト感光体５ａは、清掃装置１０ａで清掃され、ベルト感光体５ａ上の残留トナーは、図示しない吸引ブロアにより吸引され、図示しない回収部へ回収され、次の印刷動作に備えられる。
【００２５】
印写ユニット４ａを通過した用紙２３は、印写ユニット４ｂ、４ｃ、４ｄで同様の印刷動作を経て、図示しない定着装置に搬送され、到達した用紙２３上のトナー像が用紙２３に溶融定着される。
【００２６】
ベルト感光体５ａ、５ｂ、５ｃ、５ｄは印刷動作を繰り返すうちに劣化する為、定期的に交換しなければならない。
【００２７】
交換する新しいベルト感光体の梱包方法は、本発明のベルト梱包方法を用いることにより、ベルト感光体を持つことなく、梱包されたベルトを持つことが可能となり、使用前にベルト感光体を傷つけ、使用不可能となることを避けることができる。
【図面の簡単な説明】
【００２８】
【図１】本発明のベルト梱包方法の概略図である。
【図２】本発明のベルト梱包方法の巻き付け前の概略図である。
【図３】本発明のベルト梱包方法の概略断面図である。
【図４】本発明が適用される電子写真装置の概略構成図である。
【符号の説明】
【００２９】
１…パイプ、、２…遮光シート、３…ベルト感光体である。
【図１】
2005234272.tif 000003
【図２】
2005234272.tif 000004
【図３】
2005234272.tif 000005
【図４】
2005234272.tif 000006